(57)【要約】【課題】  上下方向における輝度ムラを抑制することのできる電気光学装置の駆動方法、電気光学装置および電子機器を提供すること。【解決手段】  表示データが大きいほど明るい表示にしかつ液晶にかかる電圧が小さいほど明るい表示にする駆動条件で、画面の上方側から垂直走査をする場合には、走査線Ｙ１〜Ｙｍのうちより遅く選択される走査線に接続された画素ほど、各画素電極で低下する電圧値が大きくなるのでより明るい表示となる。この場合には下方に位置する画素ほど元の表示データから減算する表示データの補正量をより大きくするように、垂直走査開始側から数えた走査線の位置を表わすＹ座標に応じて元の表示データを補正することで、下方の画素ほど元の表示データに対応する輝度よりも暗くなり、液晶表示パネル２１の上下方向における輝度ムラが抑制される。【選択図】      図５
2005148386.tif 000002
【特許請求の範囲】
【請求項１】
複数の走査線と複数の信号線の交差部に対応してマトリクス状に配置された複数の画素を備え、各画素に設けたスイッチング素子を介して各画素の電気光学素子に正極性のデータ信号と負極性のデータ信号を所定期間ごとに交互に書き込むように構成された電気光学装置の駆動方法において、
前記複数の走査線を順に選択する垂直走査開始側から数えた前記走査線の位置を表わすＹ座標に応じた表示データの補正量を作成する段階と、
前記補正量を元の表示データから減算し或いは元の表示データに加算して補正後の表示データを作成する段階と、を備え、
前記補正後の表示データに応じたデータ信号を前記各画素に書き込むことを特徴とする電気光学装置の駆動方法。
【請求項２】
請求項１に記載の電気光学装置の駆動方法において、
前記電気光学素子は２つの基板間に設けた液晶であり、
前記表示データが大きいほどかつ前記液晶にかかる電圧が小さいほど明るい表示にする第１の条件の場合と、前記表示データが小さいほどかつ前記電圧が大きいほど明るい表示にする第２の条件の場合は、前記Ｙ座標が大きいほど、より大きな前記補正量を前記元の表示データから減算して前記補正後の表示データを作成し、
前記表示データが大きいほどかつ前記電圧が大きいほど明るい表示にする第３の条件の場合と、前記表示データが小さいほどかつ前記電圧が小さいほど明るい表示にする第４の条件の場合は、前記Ｙ座標が大きいほど、より大きな前記補正量を前記元の表示データに加算して前記補正後の表示データを作成する、ことを特徴とする電気光学装置の駆動方法。
【請求項３】
請求項１又は２に記載の電気光学装置の駆動方法において、
前記複数の走査線のうち、選択された走査線に対応する１行分の画素群を順に選択する水平走査開始側からの前記画素の位置を表わすＸ座標により、前記補正量の変わる位置を変更することを特徴とする電気光学装置の駆動方法。
【請求項４】
請求項１又は２に記載の電気光学装置の駆動方法において、
フレームごとに前記補正量の変わる位置を変更することを特徴とする電気光学装置の駆動方法。
【請求項５】
請求項１又は２に記載の電気光学装置の駆動方法において、
前記複数の走査線のうち、選択された走査線に対応する１行分の画素群を順に選択する水平走査開始側からの前記画素の位置を表わすＸ座標により、前記補正量の変わる位置を変更するとともに、フレームごとに前記補正量の変わる位置を変更することを特徴とする電気光学装置の駆動方法。
【請求項６】
請求項４に記載の電気光学装置の駆動方法において、
フレームごとに前記補正量の変わる位置を変更することで前記補正後の表示データが異なる領域において、「（偶数行、偶数列）または（奇数行、奇数列）」と「（偶数行、奇数列）または（奇数行、偶数列）」とで、各フレームにおいて前記補正量の変わる位置を逆にすることを特徴とする電気光学装置の駆動方法。
【請求項７】
請求項５に記載の電気光学装置の駆動方法において、
「（偶数行、偶数列）または（奇数行、奇数列）」と「（偶数行、奇数列）または（奇数行、偶数列）」とで、各フレームにおいて前記補正量の変わる位置を逆にすることを特徴とする電気光学装置の駆動方法。
【請求項８】
複数の走査線と複数の信号線の交差部に対応してマトリクス状に配置された複数の画素を備え、各画素に設けたスイッチング素子を介して各画素の電気光学素子に正極性のデータ信号と負極性のデータ信号を所定期間ごとに交互に書き込むように構成された電気光学装置において、
前記複数の走査線を順に選択する垂直走査開始側からの前記走査線の位置を表わすＹ座標に応じた補正量を作成し、前記補正量を元の表示データから減算或いは元の表示データに加算して補正後の表示データを作成するデータ補正手段を備え、
前記補正後の表示データに応じたデータ信号を前記各画素に書き込むことを特徴とする電気光学装置。
【請求項９】
請求項８に記載の電気光学装置において、
前記電気光学素子は２つの基板間に設けた液晶であり、
前記表示データが大きいほどかつ前記液晶にかかる電圧が小さいほど明るい表示にする第１の条件と、前記表示データが小さいほどかつ前記電圧が大きいほど明るい表示にする第２の条件の場合、前記データ補正手段は、前記Ｙ座標が大きいほど、より大きな前記補正量を前記元の表示データから減算して前記補正後の表示データを作成し、
前記表示データが大きいほどかつ前記電圧が大きいほど明るい表示にする第３の条件と、前記表示データが小さいほどかつ前記電圧が小さいほど明るい表示にする第４の条件の場合、前記データ補正手段は、前記Ｙ座標が大きいほど、より大きな前記補正量を前記元の表示データに加算して前記補正後の表示データを作成する、ことを特徴とする電気光学装置。
【請求項１０】
請求項８又は９に記載の電気光学装置において、
前記データ補正手段は、前記複数の走査線のうち、選択された走査線に対応する１行分の画素群を順に選択する水平走査開始側からの前記画素の位置を表わすＸ座標により、前記補正量の変わる位置を変更することを特徴とする電気光学装置。
【請求項１１】
請求項８又は９に記載の電気光学装置において、
前記データ補正手段は、フレームごとに前記補正量の変わる位置を変更することを特徴とする電気光学装置。
【請求項１２】
請求項８又は９に記載の電気光学装置において、
前記データ補正手段は、前記複数の走査線のうち、選択された走査線に対応する１行分の画素群を順に選択する水平走査開始側からの前記画素の位置を表わすＸ座標により、前記補正量の変わる位置を変更するとともに、フレームごとに前記補正量の変わる位置を変更することを特徴とする電気光学装置。
【請求項１３】
請求項１１に記載の電気光学装置において、
前記データ補正手段は、フレームごとに前記補正量の変わる位置を変更することで前記補正後の表示データが異なる領域において、「（偶数行、偶数列）または（奇数行、奇数列）」と「（偶数行、奇数列）または（奇数行、偶数列）」とで、各フレームにおいて前記補正量の変わる位置を逆にすることを特徴とする電気光学装置。
【請求項１４】
請求項１２に記載の電気光学装置において、
前記データ補正手段は、前記画素の位置を表わすＸ座標により前記補正量の変わる位置を変更するとともに、フレームごとに前記補正量の変わる位置を変更することで前記補正後の表示データが異なる領域において、「（偶数行、偶数列）または（奇数行、奇数列）」と「（偶数行、奇数列）または（奇数行、偶数列）」とで、各フレームにおいて前記補正量の変わる位置を逆にすることを特徴とする電気光学装置。
【請求項１５】
請求項８乃至１４のいずれか一つに記載の電気光学装置を備えることを特徴とする電子機器。
【発明の詳細な説明】
【技術分野】
【０００１】
本発明は、液晶表示装置等の電気光学装置の駆動方法、電気光学装置および電子機器に関する。
【背景技術】
【０００２】
従来の電気光学装置として、マトリクス状に配置された複数の画素にそれぞれ薄膜トランジスタが設けられたアクティブマトリクス液晶表示装置で、各画素の画素電極と液晶を介して対向する共通線の電位をフィールドごとに反転させるようにしたものが知られている（例えば、特許文献１の図４参照）。この液晶表示装置では、共通線の電位をフィールドごとに反転させることで、正極性のビデオ信号と負極性のビデオ信号とがフィールドごとに交互に各画素に書き込まれ、液晶が交流駆動される。これにより、ビデオ信号などのデータ信号の振幅を小さくすることができ、低消費電力を実現できるなどの利点が得られる。
【０００３】
また、正極性のビデオ信号と負極性のビデオ信号とをフィールドごとに交互に各画素に書きむ駆動方式では、画面の上下方向で輝度むらが発生するが、この輝度むらを抑制する技術が知られている（例えば、特許文献２参照）。この従来技術では、フレームメモリの信号読出しラインをランダムにして、読み出したラインに対応させて走査電極駆動回路による走査電極（走査線）の走査順を設定する。つまり、走査の順番をランダムにすることによって、画面の上下方向における輝度ムラを抑制するようにしている。
【特許文献１】特開平８―３３４７４１号公報
【特許文献２】特開平６−２６６３１０号公報
【発明の開示】
【発明が解決しようとする課題】
【０００４】
ところで、上記特許文献２の従来技術では、走査線駆動回路が複雑になるとともに、任意の行の表示データが必要になるため、フレームメモリ等が必要になり、コストアップとなってしまう。
【０００５】
本発明は、このような従来の問題点に鑑みてなされたもので、その目的は、上下方向における輝度ムラを抑制することのできる電気光学装置の駆動方法、電気光学装置および電子機器を提供することにある。
【課題を解決するための手段】
【０００６】
本発明における電気光学装置の駆動方法は、複数の走査線と複数の信号線の交差部に対応してマトリクス状に配置された複数の画素を備え、各画素に設けたスイッチング素子を介して各画素の電気光学素子に正極性のデータ信号と負極性のデータ信号を所定期間ごとに交互に書き込むように構成された電気光学装置の駆動方法において、前記複数の走査線を順に選択する垂直走査開始側から数えた前記走査線の位置を表わすＹ座標に応じた表示データの補正量を作成する段階と、前記補正量を元の表示データから減算し或いは元の表示データに加算して補正後の表示データを作成する段階と、を備え、前記補正後の表示データに応じたデータ信号を前記各画素に書き込むことを要旨とする。
【０００７】
これによれば、全画面を同じ階調度の表示データで表示した場合に、画面の上側と画面の下側とでの輝度の変化が抑制され、画面の上下方向での輝度変化が少なくなる。したがって、上下方向における輝度ムラを抑制することができる。また、フレームメモリ等を用いずに、上下方向における輝度ムラを抑制できるので、製造コストを低減できる。
【０００８】
この電気光学装置の駆動方法において、前記電気光学素子は２つの基板間に設けた液晶であり、前記表示データが大きいほどかつ前記液晶にかかる電圧が小さいほど明るい表示にする第１の条件の場合と、前記表示データが小さいほどかつ前記電圧が大きいほど明るい表示にする第２の条件の場合は、前記Ｙ座標が大きいほど、より大きな前記補正量を前記元の表示データから減算して前記補正後の表示データを作成し、前記表示データが大きいほどかつ前記電圧が大きいほど明るい表示にする第３の条件の場合と、前記表示データが小さいほどかつ前記電圧が小さいほど明るい表示にする第４の条件の場合は、前記Ｙ座標が大きいほど、より大きな前記補正量を前記元の表示データに加算して前記補正後の表示データを作成する、ことを要旨とする。
【０００９】
これによれば、第１の条件の場合には、Ｙ座標が大きいほど元の表示データをより小さくすることにより、Ｙ座標が大きいほど元の表示データに対応する輝度よりも暗くなるので、上下方向における輝度ムラを抑制できる。
【００１０】
また、第２の条件の場合には、第１の条件の場合と同様にＹ座標が大きいほど元の表示データをより小さくすることにより、Ｙ座標が大きいほど元の表示データに対応する輝度よりも明るくなるので、上下方向における輝度ムラを抑制できる。
【００１１】
また、第３の条件の場合には、Ｙ座標が大きいほど元の表示データをより大きくすることにより、Ｙ座標が大きいほど元の表示データに対応する輝度よりも明るくなるので、上下方向における輝度ムラを抑制できる。
【００１２】
また、第４の条件の場合には、第３の条件の場合と同様にＹ座標が大きいほど元の表示データをより大きくすることにより、Ｙ座標が大きいほど元の表示データに対応する輝度よりも暗くなるので、上下方向における輝度ムラを抑制できる。
【００１３】
この電気光学装置の駆動方法において、前記複数の走査線のうち、選択された走査線に対応する１行分の画素群を順に選択する水平走査開始側からの前記画素の位置を表わすＸ座標により、前記補正量の変わる位置を変更することを要旨とする。
【００１４】
これによれば、複数の走査線のうち、選択された走査線に対応する１行分の画素群を順に選択する水平走査開始側からの画素の位置を表わすＸ座標により、補正量の変わる位置を変更するので、表示データの補正によって生じる横方向の筋を見えにくくすることができる。
【００１５】
この電気光学装置の駆動方法において、フレームごとに前記補正量の変わる位置を変更することを要旨とする。
これによれば、フレームごとに補正量の変わる位置を変更するので、表示データの補正によって生じる横方向の筋を見えにくくすることができる。
【００１６】
この電気光学装置の駆動方法において、前記複数の走査線のうち、選択された走査線に対応する１行分の画素群を順に選択する水平走査開始側からの前記画素の位置を表わすＸ座標により、前記補正量の変わる位置を変更するとともに、フレームごとに前記補正量の変わる位置を変更することを要旨とする。
【００１７】
これによれば、複数の走査線のうち、選択された走査線に対応する１行分の画素群を順に選択する水平走査開始側からの前記画素の位置を表わすＸ座標により、前記補正量の変わる位置を変更するとともに、補正量の変わる位置をフレームごとに変更するので、表示データの補正によって生じる横方向の筋をさらに見えにくくすることができる。
【００１８】
この電気光学装置の駆動方法において、フレームごとに前記補正量の変わる位置を変更することで前記補正後の表示データが異なる領域において、「（偶数行、偶数列）または（奇数行、奇数列）」と「（偶数行、奇数列）または（奇数行、偶数列）」とで、各フレームにおいて前記補正量の変わる位置を逆にすることを要旨とする。
【００１９】
これによれば、フレームごとに補正後の表示データが異なる領域において、「（偶数行、偶数列）または（奇数行、奇数列）」と「（偶数行、奇数列）または（奇数行、偶数列）」とで、各フレームにおいて前記補正量の変わる位置が逆になるので、表示データの補正によって生じるフリッカを見えにくくすることができる。
【００２０】
この電気光学装置の駆動方法において、「（偶数行、偶数列）または（奇数行、奇数列）」と「（偶数行、奇数列）または（奇数行、偶数列）」とで、各フレームにおいて前記補正量の変わる位置を逆にすることを要旨とする。
【００２１】
これによれば、フレームごとに補正量の変わる位置を変更することで補正後の表示データが異なる領域において、「（偶数行、偶数列）または（奇数行、奇数列）」と「（偶数行、奇数列）または（奇数行、偶数列）」とで、各フレームにおいて前記補正量の変わる位置が逆になる。このため、表示データの補正によって生じるフリッカを見えにくくすることができる。
【００２２】
本発明における電気光学装置は、複数の走査線と複数の信号線の交差部に対応してマトリクス状に配置された複数の画素を備え、各画素に設けたスイッチング素子を介して各画素の電気光学素子に正極性のデータ信号と負極性のデータ信号を所定期間ごとに交互に書き込むように構成された電気光学装置において、前記複数の走査線を順に選択する垂直走査開始側からの前記走査線の位置を表わすＹ座標に応じた補正量を作成し、前記補正量を元の表示データから減算或いは元の表示データに加算して補正後の表示データを作成するデータ補正手段を備え、前記補正後の表示データに応じたデータ信号を前記各画素に書き込むことを要旨とする。
【００２３】
これによれば、全画面を同じ階調度の表示データで表示した場合に、画面の上側と画面の下側とでの輝度の変化が抑制され、画面の上下方向での輝度変化が少なくなる。したがって、上下方向における輝度ムラを抑制することができる。また、フレームメモリ等を用いずに、上下方向における輝度ムラを抑制できるので、製造コストを低減できる。
【００２４】
この電気光学装置において、前記電気光学素子は２つの基板間に設けた液晶であり、前記表示データが大きいほどかつ前記液晶にかかる電圧が小さいほど明るい表示にする第１の条件と、前記表示データが小さいほどかつ前記電圧が大きいほど明るい表示にする第２の条件の場合、前記データ補正手段は、前記Ｙ座標が大きいほど、より大きな前記補正量を前記元の表示データから減算して前記補正後の表示データを作成し、前記表示データが大きいほどかつ前記電圧が大きいほど明るい表示にする第３の条件と、前記表示データが小さいほどかつ前記電圧が小さいほど明るい表示にする第４の条件の場合、前記データ補正手段は、前記Ｙ座標が大きいほど、より大きな前記補正量を前記元の表示データに加算して前記補正後の表示データを作成する、ことを要旨とする。
【００２５】
これによれば、第１の条件の場合には、Ｙ座標が大きいほど元の表示データをより小さくすることにより、Ｙ座標が大きいほど元の表示データに対応する輝度よりも暗くなるので、上下方向における輝度ムラを抑制できる。
【００２６】
第２の条件の場合には、第１の条件の場合と同様にＹ座標が大きいほど元の表示データ
をより小さくすることにより、Ｙ座標が大きいほど元の表示データに対応する輝度よりも明るくなるので、上下方向における輝度ムラを抑制できる。
【００２７】
また、第３の条件の場合には、Ｙ座標が大きいほど元の表示データをより大きくすることにより、Ｙ座標が大きいほど元の表示データに対応する輝度よりも明るくなるので、上下方向における輝度ムラを抑制できる。
【００２８】
また、第４の条件の場合には、第３の条件の場合と同様にＹ座標が大きいほど元の表示データをより大きくすることにより、Ｙ座標が大きいほど元の表示データに対応する輝度よりも暗くなるので、上下方向における輝度ムラを抑制できる。
【００２９】
この電気光学装置において、前記データ補正手段は、前記複数の走査線のうち、選択された走査線に対応する１行分の画素群を順に選択する水平走査開始側からの前記画素の位置を表わすＸ座標により、前記補正量の変わる位置を変更することを要旨とする。
【００３０】
これによれば、複数の走査線のうち、選択された走査線に対応する１行分の画素群を順に選択する水平走査開始側からの画素の位置を表わすＸ座標により、補正量の変わる位置を変更しているので、表示データの補正によって生じる横方向の筋を見えにくくすることができる。
【００３１】
この電気光学装置において、前記データ補正手段は、フレームごとに前記補正量の変わる位置を変更することを要旨とする。
これによれば、フレームごとに補正量の変わる位置を変更しているので、表示データの補正によって生じる横方向の筋を見えにくくすることができる。
【００３２】
この電気光学装置において、前記データ補正手段は、前記複数の走査線のうち、選択された走査線に対応する１行分の画素群を順に選択する水平走査開始側からの前記画素の位置を表わすＸ座標により、前記補正量の変わる位置を変更するとともに、フレームごとに前記補正量の変わる位置を変更することを要旨とする。
【００３３】
これによれば、複数の走査線のうち、選択された走査線に対応する１行分の画素群を順に選択する水平走査開始側からの前記画素の位置を表わすＸ座標により、前記補正量の変わる位置を変更するとともに、補正量の変わる位置をフレームごとに変更しているので、表示データの補正によって生じる横方向の筋をさらに見えにくくすることができる。
【００３４】
この電気光学装置において、前記データ補正手段は、フレームごとに前記補正量の変わる位置を変更することで前記補正後の表示データが異なる領域において、「（偶数行、偶数列）または（奇数行、奇数列）」と「（偶数行、奇数列）または（奇数行、偶数列）」とで、各フレームにおいて前記補正量の変わる位置を逆にすることを要旨とする。
【００３５】
これによれば、フレームごとに補正後の表示データが異なる領域において、「（偶数行、偶数列）または（奇数行、奇数列）」と「（偶数行、奇数列）または（奇数行、偶数列）」とで、各フレームにおいて前記補正量の変わる位置が逆になるので、表示データの補正によって生じるフリッカを見えにくくすることができる。
【００３６】
この電気光学装置において、前記データ補正手段は、前記画素の位置を表わすＸ座標により前記補正量の変わる位置を変更するとともに、フレームごとに前記補正量の変わる位置を変更することで前記補正後の表示データが異なる領域において、「（偶数行、偶数列）または（奇数行、奇数列）」と「（偶数行、奇数列）または（奇数行、偶数列）」とで、各フレームにおいて前記補正量の変わる位置を逆にすることを要旨とする。
【００３７】
これによれば、フレームごとに補正量の変わる位置を変更することで補正後の表示データが異なる領域において、「（偶数行、偶数列）または（奇数行、奇数列）」と「（偶数行、奇数列）または（奇数行、偶数列）」とで、各フレームにおいて前記補正量の変わる位置が逆になる。このため、表示データの補正によって生じるフリッカを見えにくくすることができる。
【００３８】
本発明における電子機器は、上記発明に係る電気光学装置を備えることを要旨とする。
これによれば、上下方向における輝度ムラが抑制された表示を実現することができる。
【発明を実施するための最良の形態】
【００３９】
以下、本発明を液晶表示装置に適用した各実施形態を図面に基づいて説明する。
[第１実施形態]
第１実施形態に係る液晶表示装置を図１〜図９に基づいて説明する。
【００４０】
図１は第１実施形態に係る液晶表示装置の駆動回路の電気的構成を概略的に示しており、図２は液晶表示パネルの電気的等価回路の一部を示している。
第１実施形態に係る液晶表示装置は、薄膜トランジスタ（ＴＦＴ）などの３端子スイッチング素子を用いた３端子型アクティブマトリクス液晶表示装置である。この液晶表示装置では、マトリクス状に配置された複数の画素の各スイッチング素子を介して各画素に正極性のデータ信号と負極性のデータ信号を１フレームごとに交互に書き込むフレーム反転駆動を行うようになっている。
【００４１】
また、本実施形態および以下の各実施形態に係る液晶表示装置は、表示データが大きいほど明るい表示にしかつ液晶にかかる電圧が小さいほど明るい表示にする第１の条件（条件１ａ）の場合と、表示データが小さいほど明るい表示にしかつ液晶にかかる電圧が大きいほど明るい表示にする第２の条件（条件１ｂ）により液晶を駆動する場合に適用される。
【００４２】
上記条件１ａの場合は、ノーマリホワイト・モードの表示モードで、ビデオ信号などのデジタル階調データの階調度が大きいほど明るい表示にするように液晶を駆動する場合である。また、上記条件１ｂの場合は、ノーマリブラック・モードの表示モードで、ビデオ信号などのデジタル階調データの階調度が小さいほど明るい表示にするように液晶を駆動する場合である。
【００４３】
本実施形態の液晶表示装置は、図１に示す液晶表示パネル２１を備える。この液晶表示パネル２１は、図示を省略した素子基板と対向基板とを備え、これら２つの基板の間にＴＮ（Twisted Nematic ）型の液晶が封入されている。液晶表示パネル２１は、図１及び図２に示すように、ｍ行の走査線Ｙ１〜Ｙｍとｎ列の信号線Ｘ１〜Ｘｎとの交差部に対応してマトリクス状に配置されたｍ×ｎ個の画素２５と、各画素２５に設けたスイッチング素子としての薄膜トランジスタ（以下、「ＴＦＴ」という。）２６とを備えている。
【００４４】
図１及び図２に示すように、各画素２５のＴＦＴ２６のゲートは走査線Ｙ１〜Ｙｍの１つに、そのソースは信号線Ｘ１〜Ｘｎの一つに、そして、そのドレインは対応する１つの画素２５の画素電極２９にそれぞれ接続されている。各画素２５の画素電極２９は、対向基板側に設けた１つの共通電極３０と液晶２４を介してそれぞれ対向している。この共通電極３０の電位（共通電極電位ＬＣＣＯＭ）を１フレームごとに反転させて上記フレーム反転駆動を行うようになっている。また、各画素２５は、矩形状の画素電極２９と共通電極３０の間の液晶２４で構成される液晶容量３１と、この液晶容量３１と並列に接続され、同液晶容量からの電荷のリークによる電圧の降下を低減するための容量素子である蓄積
容量３２とを備えている。各蓄積容量３２のマイナス側端子は、容量配線４１に接続されている。
【００４５】
そして、各画素２５の画素回路は、ＴＦＴ２６がオン（導通状態）になると、ビデオ信号などのデジタル階調データがＤ／Ａ変換されたデータ信号（電圧信号）がＴＦＴ２６を介して液晶容量３１と蓄積容量３２とに書き込まれ、ＴＦＴ２６がオフ（非導通状態）になると、これらの容量に電荷が保持されるようになっている。
【００４６】
次に、液晶表示装置の液晶表示パネル２１を駆動する駆動回路の電気的構成を図１及び図２に基づいて説明する。この駆動回路は、走査線Ｙ１〜Ｙｍを駆動するための走査線駆動回路３３と、信号線Ｘ１〜Ｘｎを駆動するための信号線駆動回路３４と、走査線駆動回路３３及び信号線駆動回路３４を制御する制御回路３５と、データ補正手段としてのデータ補正回路３６とを備えている。
【００４７】
制御回路３５には、表示データ、同期信号、及びクロック信号等が外部回路から入力されるようになっている。本実施形態及び以下の各実施形態では、表示データはビデオ信号などの８ビット（ｂｉｔ）のデジタル階調データであり、この階調データを以下の説明において単に「表示データ」といい、ＤＡＴＡ[7..0]或いはＤＡＴＡ[]で表わす。同期信号は、垂直同期信号ＶＳＹＮＣと水平同期信号ＨＳＹＮＣである。クロック信号は、図３に示すクロック信号ＣＹ及び反転クロック信号／ＣＹと、基本クロックＤＣＫである。
【００４８】
制御回路３５から走査線駆動回路３３及び信号線駆動回路３４には、フレーム反転駆動を行うための各種の信号が信号線３７ａ及び３７ｂをそれぞれ介して供給される。また、素子基板には、図示を省略してあるが、外部回路から各種信号が入力される入力端子などが形成されている。
【００４９】
また、上記駆動回路は、図３に示すように、共通電極電位ＬＣＣＯＭを低い電圧Ｖｓｓと高い電圧Ｖｄｄとの間で１フレームごとに反転させて、各画素２５に正極性の上記データ信号と負極性の上記データ信号を交互に書き込むように構成されている。なお、「１フレーム」は、走査線Ｙ１〜Ｙｍを順に選択して全ての画素２５の容量（液晶容量３１および蓄積容量３２）にデータ信号を書き込むことで１画面の表示がなされる期間をいう。
【００５０】
走査線駆動回路３３は、図３に示すように、走査線Ｙ１〜Ｙｍを順に選択する垂直走査期間の最初に供給される転送開始信号ＤＹ、クロック信号ＣＹおよび反転クロック信号／ＣＹにより走査信号Ｇ１〜Ｇｍを順に生成して出力することで、走査線Ｙ１〜Ｙｍを順に選択するようになっている。走査線Ｙ１〜Ｙｍが順に選択されて各走査線に走査信号Ｇ１〜Ｇｍが供給されると、各走査線に接続された全てのＴＦＴ２６がオン状態になるように構成されている。なお、本実施形態及び以下の各実施形態では、上記「垂直走査」を、走査線Ｙ１〜Ｙｍを上から、つまり走査線Ｙ１側から順に選択するように行う。
【００５１】
図３に示すように、ｔ１時点に共通電極電位ＬＣＣＯＭがＶｄｄからＶｓｓに反転した後、ｔ２時点に転送開始信号ＤＹが走査線駆動回路３３に供給されると、走査線駆動回路３３はｔ３時点からｔ４時点までの間で、走査信号Ｇ１〜Ｇｍを順に生成して出力することで、走査線Ｙ１〜Ｙｍを順に選択する。走査信号Ｇｍによる選択期間がｔ５時点で終了した後、ｔ６時点に共通電極電位ＬＣＣＯＭがＶｓｓからＶｄｄに反転するようになっている。このような動作が繰り返される。
【００５２】
信号線駆動回路３４は、図４に示すように、走査線Ｙ１〜Ｙｍが順次に選択される１水平走査期間（例えば図４のｔ４時点からｔ５時点までの期間）に、Ｈレベルのデータ選択信号Ｓ１〜Ｓｎを順次に出力するシフトレジスタ（図示省略）と、サンプルホールド回路
（図示省略）とを備えている。
【００５３】
サンプルホールド回路は、例えば、信号線Ｘ１〜Ｘｎにそれぞれ設けられ、Ｈレベルのデータ選択信号Ｓ１〜Ｓｎ（図４参照）が順に入力されるとそれぞれ開く複数のトランスミッションゲートを備えている。各トランスミッションゲートは、Ｈレベルのデータ選択信号Ｓ１〜Ｓｎが入力されると開く２つのＮチャンネル型ＴＦＴからなる。各トランスミッションゲートがＨレベルのデータ選択信号Ｓ１〜Ｓｎにより順次に開くと、上記データ信号が、各トランスミッションゲートをそれぞれ介して信号線Ｘ１〜Ｘｎに順次に供給される。各信号線Ｘ１〜Ｘｎに順次に供給されるデータ信号は、選択された走査線に接続された各ＴＦＴ２６を介して各画素２５に順次に書き込まれるようになっている。
【００５４】
こうして、各画素２５に順次に書き込まれるデータ信号は、上記条件１ａで液晶を駆動する場合には、上記表示データ（８ビットのデジタル階調データ）が大きいほど明るい表示にしかつ液晶にかかる電圧が小さいほど明るい表示にするために、表示データの階調度が大きいほど電圧値の低い信号となる。また、上記条件１ｂで液晶を駆動する場合には、表示データが小さいほど明るい表示にしかつ液晶にかかる電圧が大きいほど明るい表示にするために、表示データの階調度が小さいほど電圧値の高い信号となる。
【００５５】
本実施形態に係る液晶表示装置では、条件１ａの場合には、上記フレーム反転駆動を行うことにより、図５に示すように、走査線Ｙ１〜Ｙｍのうちより遅く選択される走査線に接続された各画素ほど、つまりより下方に位置する画素ほど各画素電極で低下する電圧値が大きくなるので、より明るい表示となる。そこで、本実施形態に係る液晶表示装置は、条件１ａの場合には、図５に示すように、下方に位置する画素ほど元の表示データをより小さくするように、データ補正回路３６により、垂直走査開始側（本例では第１行目の走査線Ｙ１側）から数えた走査線の位置を表わすＹ座標に応じて元の表示データを補正するように構成した点に特徴がある。ここでの補正は、図５に示すように、元の表示データから減算する表示データの補正量が、下方に位置する画素ほど大きくなるように行う。この構成により、下方の画素ほど元の表示データに対応する輝度よりも暗くなるので、上述したようにフレーム反転駆動を行うことにより発生する液晶表示パネル２１の上下方向における輝度ムラが抑制される。
【００５６】
また、条件１ｂの場合には、図６に示すように、走査線Ｙ１〜Ｙｍのうちより遅く選択される走査線に接続された各画素ほど、つまりより下方に位置する画素ほど各画素電極で低下する電圧値が大きくなるので、より暗い表示となる。そこで、本実施形態に係る液晶表示装置は、条件１ｂの場合にも、図６に示すように、下方に位置する画素ほど、元の表示データをより小さくするように、データ補正回路３６により、Ｙ座標に応じて元の表示データを補正するように構成した点に特徴がある。ここでの補正は、図６に示すように、元の表示データから減算する表示データの補正量が、下方に位置する画素ほど大きくなるように行う。この構成により、下方の画素ほど元の表示データに対応する輝度よりも明るくなるので、液晶表示パネル２１の上下方向における輝度ムラが抑制される。
【００５７】
このデータ補正回路３６について、図７〜図９を参照して説明する。
データ補正回路３６は、走査線Ｙ１〜Ｙｍを順に選択する垂直走査開始側（走査線Ｙ１側）からの走査線の位置を表わすＹ座標に応じた補正量を作成し、その補正量を元の表示データＤＡＴＡ[]から減算して補正後の表示データを作成するようになっている。補正後の表示データを、ＤＡＴＡＮ[7..0]或いはＤＡＴＡＮ[]で表わす。
【００５８】
データ補正回路３６は、図７に示すように、第１カウンタ５１と、第２カウンタ５２と、減算器５３とを備える。
第１カウンタ５１は、垂直走査開始側（走査線Ｙ１側）からの走査線の位置を表わすＹ
座標を計数する。この第１カウンタ５１は、図８に示すように、垂直同期信号ＶＳＹＮＣでリセットされ（カウンタの値が「０」になり）、「０」から水平同期信号ＨＳＹＮＣのタイミングで「１」ずつ（走査線１行ごとに）カウントアップし、カウント値がＬＮＯ[7..0]＝５と等しくなると、ＨＳＹＮＣのタイミングでリセットされる。また、カウント値がＬＮＯ[7..0]＝５と等しくなると、ＨＳＹＮＣのタイミングで１基本クロックＤＣＫ分「Ｈ」レベルのＥＮＢ信号を第２カウンタ５２へ出力する。
【００５９】
ここで、ＬＮＯ[7..0]は、走査線の何行ごとに表示データの補正量（本実施形態及び以下の実施形態では表示データの減算量）を「１」ずつ増やすかを設定するための駆動パラメータである。ＬＮＯ[7..0]＝５は、走査線の６行ごとに表示データの補正量（減算量）を「１」ずつ増やすことを意味する。この駆動パラメータを以下の説明で、略してＬＮＯ[]とも表わす。ＥＮＢ信号は、第２カウンタ５２のカウントＥＮＡＢＬＥ信号である。また、上述したように、本実施形態及び以下の各実施形態では、８ビット（ｂｉｔ）のデジタル階調データである表示データＤＡＴＡ[7..0]を用いるので、駆動パラメータなどを８ビット（例えば、ＬＮＯ[7..0]）としている。
【００６０】
第２カウンタ５２は、垂直同期信号ＶＳＹＮＣでリセットされ（カウンタの値が「０」になり）、ＥＮＢ信号が「Ｈ」レベルになるごとに水平同期信号ＨＳＹＮＣのタイミングで「１」ずつカウントアップし、カウント値を補正データＣＤ[7..0]として減算器５３へ出力する。この補正データＣＤ[7..0]を以下の説明で、略して補正データＣＤ[]とも表わす。
【００６１】
減算器５３は、元の表示データＤＡＴＡ[]から補正データＣＤ[]を引いて、その結果を補正後の表示データＤＡＴＡＮ[]として信号線駆動回路３４へ出力する。また、減算器５３は、補正後の表示データＤＡＴＡＮ[]が負になった場合は、出力を「０」にするようになっている。
【００６２】
次に、本実施形態の液晶表示装置の動作を説明する。
ここでの駆動条件は、ＬＮＯ[]＝５、及び表示データＤＡＴＡ[]＝１２７（液晶表示パネル２１の全画面の表示データの階調度を１２７）とする。
【００６３】
データ補正回路３６の第１カウンタ５１は、カウント値がＬＮＯ[7..0]＝５と等しくなるごとに、ＨＳＹＮＣのタイミングで「Ｈ」レベルのＥＮＢ信号を第２カウンタ５２へ出力する。つまり、垂直走査が走査線Ｙ１から開始された後、６行分の走査線にそれぞれ接続された各画素へのデータ信号の書き込みが終了するごとに、「Ｈ」レベルのＥＮＢ信号を出力する。
【００６４】
第２カウンタ５２は、垂直同期信号ＶＳＹＮＣでリセットされ、「Ｈ」レベルのＥＮＢ信号が入力されるごとに、水平同期信号ＨＳＹＮＣのタイミングで「１」ずつカウントアップし、カウント値を補正データＣＤ[]として減算器５３へ出力する。減算器５３は、元の表示データＤＡＴＡ[]から補正データＣＤ[]を引いてその結果を補正後の表示データＤＡＴＡＮ[]として信号線駆動回路３４へ出力する。
【００６５】
このようにして６行分の走査線にそれぞれ接続された各画素へのデータ信号の書き込みが終了するごとに、元の表示データを「１」ずつ減算して補正した補正後の表示データＤＡＴＡＮ[]が減算器５３から出力され、その表示データＤＡＴＡＮ[]に応じた上記データ信号（電圧信号）が各画素に書き込まれる。
【００６６】
このような駆動方法により、図９に示すように、６行分の走査線にそれぞれ接続された各画素へのデータ信号の書き込みが終了するごとに、元の表示データＤＡＴＡ[]を「１」
ずつ小さくし、この補正後の表示データＤＡＴＡＮ[]に基づき各画素へのデータ信号の書き込みを行う。
【００６７】
このような駆動方法で液晶表示パネル２１を駆動することにより、上記条件１ａの場合には、図５に示すように、下方に位置する画素ほど元の表示データから減算する表示データの補正量を大きくして、元の表示データをより小さくする。これにより、下方の画素ほど元の表示データに対応する輝度よりも暗くなるので、液晶表示パネル２１の上下方向における輝度ムラが抑制される。
【００６８】
また、上記条件１ｂの場合には、上記条件１ａの場合と同じ駆動方法で液晶表示パネル２１を駆動することにより、図６に示すように、下方の画素ほど元の表示データから減算する表示データの補正量を大きくして、元の表示データをより小さくする。これにより、下方の画素ほど元の表示データに対応する輝度よりも明るくなるので、液晶表示パネル２１の上下方向における輝度ムラが抑制される。
【００６９】
以上のように構成された第１実施形態によれば、以下の作用効果を奏する。
○垂直走査開始側から数えた走査線の位置を表わすＹ座標に応じて元の表示データを補正することで、液晶表示パネル２１の上下方向における輝度ムラを抑制することができる。
【００７０】
○上記条件１ａで、画面の上方側から垂直走査をする場合には、図５に示すように、下方に位置する画素ほど元の表示データから減算する表示データの補正量を大きくして、元の表示データをより小さくする。これにより、下方の画素ほど元の表示データに対応する輝度よりも暗くなるので、液晶表示パネル２１の上下方向における輝度ムラを抑制することができる。
【００７１】
○上記条件１ｂの場合には、上記条件１ａの場合と同じ駆動方法で液晶表示パネル２１を駆動することにより、図６に示すように、下方の画素ほど元の表示データから減算する表示データの補正量を大きくして、元の表示データをより小さくする。これにより、下方の画素ほど元の表示データに対応する輝度よりも明るくなるので、液晶表示パネル２１の上下方向における輝度ムラを抑制することができる。
【００７２】
○所定行分の走査線、例えば本例では６行分の走査線にそれぞれ接続された各画素へのデータ信号の書き込みが終了するごとに、Ｙ座標に応じて元の表示データＤＡＴＡ[]を「１」ずつ小さくし、この補正後の表示データＤＡＴＡＮ[]に基づき各画素へのデータ信号の書き込みを行う。このため、画面の上側と画面の下側とで輝度変化が抑制される。全画面を同じ階調度の表示データで表示した場合に、画面の上下方向での輝度変化が少なくなる。したがって、上下方向における輝度ムラを抑制することができる。
【００７３】
[第２実施形態]
第２実施形態に係る液晶表示装置を図１０〜図１２に基づいて説明する。
本実施形態では、上記第１実施形態において、補正量の変わる位置（図９の太い実線で示す位置）が横方向の筋となって見えるのを抑制するために、偶数列と奇数列で補正量の変わる位置を変更するように構成されている。すなわち、複数の走査線Ｙ１〜Ｙｍのうち、選択された走査線に対応する１行分の画素群を順に選択する水平走査開始側からの画素の位置を表わすＸ座標により、補正量の変わる位置を変更するように構成されている。その他の構成は上記第１実施形態と同様である。
【００７４】
本実施形態で用いるデータ補正回路３６Ａは、図１０に示すように、第１カウンタ５１Ａと、偶数列用カウンタ５４と、奇数列用カウンタ５５と、減算器５３Ａとを備える。な
お、本実施形態では、図１および図１２において、例えば、Ｘ１，Ｘ３，Ｘ５，・・・に対応する列を「奇数列」とし、Ｘ２，Ｘ４，Ｘ６，・・・に対応する列を「偶数列」とする。以下の各実施形態においても同様である。
【００７５】
第１カウンタ５１Ａは、偶数列における垂直走査開始側からの走査線の位置を表わすＹ座標と、奇数列におけるＹ座標とを計数する。この第１カウンタ５１Ａは、図１１に示すように、垂直同期信号ＶＳＹＮＣでリセットされ、「０」から水平同期信号ＨＳＹＮＣのタイミングで「１」ずつカウントアップし、カウント値がＬＮＯ[7..0]＝８と等しくなると、ＨＳＹＮＣのタイミングでリセットされる。また、カウント値がＬＮＯ[7..0]＝８と等しくなると、ＨＳＹＮＣのタイミングで１ＤＣＫ分「Ｈ」レベルの偶数列用ＥＮＢａ信号を偶数列用カウンタ５４へ出力する。そして、カウント値がＷ[7..0]＝６と等しくなったときと、その後はカウント値がＬＮＯ[7..0]＝８と等しくなるごとに、ＨＳＹＮＣのタイミングで１ＤＣＫ分「Ｈ」レベルの奇数列用ＥＮＢｂ信号を奇数列用カウンタ５５へ出力する。ここで、Ｗ[7..0]は駆動パラメータである。Ｗ[7..0]は、以下の説明で略してＷ[]とも表わす。
【００７６】
ここで、ＬＮＯ[7..0]は、走査線の何行ごとに表示データの補正量（減算量）を「１」ずつ増やすかを設定するための駆動パラメータである。ＬＮＯ[7..0]＝８は、走査線の９行ごとに表示データの補正量を「１」ずつ増やすことを意味する。さらに、ＬＮＯ[7..0]＝８は、偶数列においては走査線の９行ごとに表示データの補正量を「１」ずつ増やすことを意味する。
【００７７】
また、Ｗ[7..0]は、奇数列において補正量を「１」ずつ増やす位置を設定するためのパラメータである。ＬＮＯ[7..0]＝８、Ｗ[7..0]＝６は、奇数列において最初の７行目までは表示データの補正量を「０」にし、その後はそこから９行ごとに表示データの補正量を「１」ずつ増やすことを意味する。
【００７８】
偶数列用カウンタ５４及び奇数列用カウンタ５５は、図７の第２カウンタ５２と同じ構成のもので、垂直同期信号ＶＳＹＮＣでリセットされ、「Ｈ」レベルのＥＮＢａ信号及びＥＮＢｂ信号がそれぞれ入力されるごとに、水平同期信号ＨＳＹＮＣのタイミングで「１」ずつカウントアップする。偶数列用カウンタ５４はカウント値を偶数列用補正データＣＤａ[7..0]として減算器５３Ａへ出力し、奇数列用カウンタ５５はカウント値を奇数列用補正データＣＤｂ[7..0]として減算器５３Ａへ出力する。
【００７９】
減算器５３Ａは、元の表示データＤＡＴＡ[]が偶数列のデータの場合はＤＡＴＡ[]から補正データＣＤａ[7..0]を引いて、奇数列のデータの場合はＤＡＴＡ[]から補正データＣＤｂ[7..0]を引いて、その結果を補正後の表示データＤＡＴＡＮ[]として信号線駆動回路３４へ出力する。また、減算器５３Ａは、補正後の表示データＤＡＴＡＮ[]が負になった場合は、出力を「０」にするようになっている。
【００８０】
次に、第２実施形態の液晶表示装置の動作を説明する。
ここでの駆動条件は、ＬＮＯ[]＝８、表示データＤＡＴＡ[]＝１２７、及びＷ[]＝６とする。
【００８１】
データ補正回路３６Ａの第１カウンタ５１Ａは、ＬＮＯ[7..0]＝８により、カウント値がＬＮＯ[7..0]＝８と等しくなるごとに、ＨＳＹＮＣのタイミングで「Ｈ」レベルの偶数列用ＥＮＢａ信号を偶数列用カウンタ５４へ出力する。つまり、偶数列については、垂直走査が走査線Ｙ１から開始された後、９行分のデータの書き込みが終了するごとに、「Ｈ」レベルのＥＮＢａ信号を偶数列用カウンタ５４へ出力する（図１１参照）。なお、以下の説明では、「複数行分（例えば９行分）の走査線に接続された各画素へのデータ信号の
書き込み」を、「複数行分（例えば９行分）のデータの書き込み」という。
【００８２】
また、第１カウンタ５１Ａは、ＬＮＯ[7..0]＝８、Ｗ[7..0]＝６により、カウント値がＷ[7..0]＝６と等しくなると、ＨＳＹＮＣのタイミングで「Ｈ」レベルの奇数列用ＥＮＢｂ信号を出力し、その後はカウント値がＬＮＯ[7..0]＝８と等しくなるごとに、同じタイミングで「Ｈ」レベルのＥＮＢｂ信号を出力する。つまり、奇数列については、垂直走査が走査線Ｙ１から開始された後、最初は７行分のデータの書き込みが終了した後にＨＳＹＮＣのタイミングで「Ｈ］レベルのＥＮＢｂ信号を出力し、その後はそこから９行分のデータの書き込みが終了するごとに、「Ｈ」レベルのＥＮＢｂ信号を出力する。
【００８３】
偶数列用カウンタ５４は、ＶＳＹＮＣでリセットされ、「Ｈ」レベルのＥＮＢａ信号が入力されるごとに、ＨＳＹＮＣのタイミングで「１」ずつカウントアップし、カウント値を偶数列用補正データＣＤａ[]として減算器５３Ａへ出力する。奇数列用カウンタ５５は、「Ｈ」レベルのＥＮＢｂ信号が入力されるごとに、ＨＳＹＮＣのタイミングで「１」ずつカウントアップし、カウント値を奇数列用補正データＣＤｂ[]として減算器５３Ａへ出力する。
【００８４】
減算器５３Ａは、偶数列用カウンタ５４からＣＤａ[7..0]が出力される場合には、元の表示データＤＡＴＡ[]（偶数列のデータ）からＣＤａ[]を引いて、その結果を補正後の表示データＤＡＴＡＮ[]として信号線駆動回路３４へ出力する。また、奇数列用カウンタ５５からＣＤｂ[7 ..0]が出力される場合には、元の表示データＤＡＴＡ[]（奇数列のデー
タ）からＣＤｂ[]を引いて、その結果を補正後の表示データＤＡＴＡＮ[]として信号線駆動回路３４へ出力する。
【００８５】
このようにして偶数列については９行分のデータの書き込みが終了するごとに、奇数列については最初の７行分のデータの書き込みが終了した後に、その後はそこから９行分のデータの書き込みが終了するごとに、それぞれ元の表示データを「１」ずつ減算して補正した補正後の表示データＤＡＴＡＮ[]が減算器５３Ａから出力される。その表示データＤＡＴＡＮ[]に応じた上記データ信号（電圧信号）が、上述したように各画素２５（図２参照）に書き込まれる。
【００８６】
このような駆動方法により、図１２に示すように、偶数列については９行分のデータの書き込みが終了するごとに、元の表示データＤＡＴＡ[]を「１」ずつ小さくする。また、奇数列については最初の７行分のデータの書き込みが終了した後に、その後はそこから９行分のデータの書き込みが終了するごとに、それぞれ元の表示データＤＡＴＡ[]を「１」ずつ小さくする。こうして元の表示データＤＡＴＡ[]を「１」ずつ小さくした補正後の表示データＤＡＴＡＮ[]に基づき、各画素２５へのデータ信号の書き込みを行う。
【００８７】
以上のように構成された第２実施形態によれば、上記第１実施形態の奏する作用効果に加えて、以下の作用効果を奏する。
○偶数列と奇数列で補正量の変わる位置を変更しているので、表示データの補正によって生じる横方向の筋を見えにくくすることができる。
【００８８】
[第３実施形態]
第３実施形態に係る液晶表示装置を図１３〜図１６に基づいて説明する。
本実施形態では、上記第１実施形態において、補正量の変わる位置が横方向の筋となって見えるのを抑制するために、フレームごとに補正量の変わる位置を変更する（ずらす）ように構成されている。その他の構成は上記第１実施形態と同様である。
【００８９】
本実施形態で用いるデータ補正回路３６Ｂは、図１３に示すように、第１カウンタ５１
Ｂと、第２カウンタ５２Ｂと、減算器５３Ｂとを備える。
第１カウンタ５１Ｂは、図７の第１カウンタ５１と同様に垂直走査開始側からの走査線の位置を表わすＹ座標を計数する。この第１カウンタ５１Ｂは、図１４に示すように、垂直同期信号ＶＳＹＮＣでリセットされ、「０」から水平同期信号ＨＳＹＮＣのタイミングで「１」ずつカウントアップし、カウント値がＬＮＯ[7..0]＝８と等しくなると、ＨＳＹＮＣのタイミングでリセットされる。また、第１カウンタ５１Ｂは、ｎフレーム目において、カウント値がＬＮＯ[7..0]＝８と等しくなるごとに、ＨＳＹＮＣのタイミングで１ＤＣＫ分「Ｈ」レベルのｎフレーム目ＥＮＢ信号を出力する。そして、第１カウンタ５１Ｂは、（ｎ＋１）フレーム目において、カウント値がＤＦ[7..0]＝４と等しくなったときと、その後はカウント値がＬＮＯ[7..0]＝８と等しくなるごとに、ＨＳＹＮＣのタイミングで１ＤＣＫ分「Ｈ」レベルの（ｎ＋１）フレーム目ＥＮＢ信号を出力するようになっている。
【００９０】
ここで、ＬＮＯ[7..0]は、走査線の何行ごとに表示データの補正量（減算量）を「１」ずつ増やすかを設定するための駆動パラメータである。ＬＮＯ[7..0]＝８は、走査線の９行ごとに表示データの補正量を「１」ずつ増やすことを意味する。また、ＤＦ[7..0]は、（ｎ＋１）フレーム目において補正量（減算量）を「１」ずつ増やす位置を設定するための駆動パラメータである。ＬＮＯ[7..0]＝８、ＤＦ[7..0]＝４は、（ｎ＋１）フレーム目において走査線の最初の５行目までは補正量を「０」とし、その後は走査線の９行ごとに表示データの補正量を「１」ずつ増やすことを意味する。ＤＦ[7..0]は、以下の説明で略してＤＦ[]とも表わす。
【００９１】
第２カウンタ５２Ｂは、図７の第２カウンタ５２と同じ構成のもので、垂直同期信号ＶＳＹＮＣでリセットされ、「Ｈ」レベルのｎフレーム目ＥＮＢ及び（ｎ＋１）フレーム目ＥＮＢ信号がそれぞれ入力されるごとに、水平同期信号ＨＳＹＮＣのタイミングで「１」ずつカウントアップする。そして、第２カウンタ５２は、カウント値をｎフレーム目補正データＣＤ[]或いは（ｎ＋１）フレーム目補正データＣＤ[]として減算器５３Ｂへ出力する。
【００９２】
減算器５３Ｂは、図７の減算器５３と同じ構成のもので、元の表示データＤＡＴＡ[]からｎフレーム目補正データＣＤ[]或いは（ｎ＋１）フレーム目補正データＣＤ[]を引いて、その結果を補正後の表示データＤＡＴＡＮ[]として信号線駆動回路３４へ出力する。また、減算器５３Ｂは、補正後の表示データＤＡＴＡＮ[]が負になった場合は、出力を「０」にするようになっている。
【００９３】
次に、第３実施形態の液晶表示装置の動作を説明する。
ここでの駆動条件は、ＬＮＯ[]＝８、表示データＤＡＴＡ[]＝１２７、及びＤＦ[]＝４とする。
【００９４】
データ補正回路３６Ｂの第１カウンタ５１Ｂは、ｎフレーム目において、カウント値がＬＮＯ[7..0]＝８と等しくなるごとに、ＨＳＹＮＣのタイミングで「Ｈ」レベルのｎフレーム目ＥＮＢ信号を第２カウンタ５２Ｂへ出力する。つまり、ｎフレーム目では、垂直走査が走査線Ｙ１から開始された後、９行分のデータの書き込みが終了するごとに、「Ｈ」レベルのＥＮＢ信号を出力する。また、第１カウンタ５１Ｂは、（ｎ＋１）フレーム目において、カウント値がＤＦ[]＝４と等しくなったときと、その後はカウント値がＬＮＯ[7..0]＝８と等しくなるごとに、ＨＳＹＮＣのタイミングで「Ｈ」レベルの（ｎ＋１）フレーム目ＥＮＢ信号を第２カウンタ５２Ｂへ出力する。つまり、（ｎ＋１）フレーム目では、垂直走査が走査線Ｙ１から開始された後、最初の５行分のデータの書き込みが終了した後に、その後はそこから９行分のデータの書き込みが終了するごとに、「Ｈ」レベルのＥＮＢ信号を出力する。
【００９５】
第２カウンタ５２Ｂは、垂直同期信号ＶＳＹＮＣでリセットされ、「Ｈ」レベルのｎフレーム目ＥＮＢ信号或いは（ｎ＋１）フレーム目ＥＮＢ信号が入力されるごとに、水平同期信号ＨＳＹＮＣのタイミングで「１」ずつカウントアップする。そのカウント値を、ｎフレーム目補正データＣＤ[]或いは（ｎ＋１）フレーム目補正データＣＤ[]として減算器５３Ｂへ出力する。
【００９６】
減算器５３Ｂは、元の表示データＤＡＴＡ[]からｎフレーム目補正データＣＤ[]或いは（ｎ＋１）フレーム目補正データＣＤ[]をそれぞれ引いて、その結果を補正後の表示データＤＡＴＡＮ[]（ｎフレーム目ＤＡＴＡＮ[]或いは（ｎ＋１）フレーム目ＤＡＴＡＮ[]）として信号線駆動回路３４へ出力する。
【００９７】
このようにして、ｎフレーム目では、９行分のデータの書き込みが終了するごとに、元の表示データを「１」ずつ減算して補正した補正後の表示データＤＡＴＡＮ[]（ｎフレーム目ＤＡＴＡＮ[]）が減算器５３Ｂから出力され、その表示データＤＡＴＡＮ[]に応じたデータ信号が上述したように各画素２５に書き込まれる。また、（ｎ＋１）フレーム目では、最初の５行分のデータの書き込みが終了した後に、その後はそこから９行分のデータの書き込みが終了するごとに、元の表示データを「１」ずつ減算して補正した補正後の表示データＤＡＴＡＮ[]（（ｎ＋１）フレーム目ＤＡＴＡＮ[]）が減算器５３Ｂから出力される。その表示データＤＡＴＡＮ[]に応じたデータ信号が各画素２５に書き込まれる。
【００９８】
このような駆動方法により、図１５に示すように、ｎフレーム目では、９行分のデータの書き込みが終了するごとに、元の表示データＤＡＴＡ[]を「１」ずつ小さくし、この補正後の表示データＤＡＴＡＮ[]に基づき各画素２５へのデータ信号の書き込みを行う。また、図１６に示すように、（ｎ＋１）フレーム目では、最初の５行分のデータの書き込みが終了した後に、その後はそこから９行分のデータの書き込みが終了するごとに、元の表示データＤＡＴＡ[]を「１」ずつ小さくし、この補正後の表示データＤＡＴＡＮ[]に基づき各画素２５へのデータ信号の書き込みを行う。
【００９９】
以上のように構成された第３実施形態によれば、上記第１実施形態の奏する作用効果に加えて、以下の作用効果を奏する。
○フレームごとに補正量の変わる位置（図１５及び図１６の太い実線で示す位置）を変更しているので、表示データの補正によって生じる横方向の筋を見えにくくすることができる。
【０１００】
[第４実施形態]
第４実施形態に係る液晶表示装置を図１７〜図２０に基づいて説明する。
本実施形態では、上記第１実施形態において、補正量の変わる位置が横方向の筋となって見えるのを抑制するために、水平走査開始側からの画素の位置を表わすＸ座標により、補正量の変わる位置を変更するとともに、フレームごとに補正量の変わる位置を変更するように構成されている。すなわち、上記第１実施形態において、偶数列と奇数列で補正量の変わる位置を変更するとともに、補正量の変わる位置をフレームごとに変更する（ずらす）ように構成されている。その他の構成は上記第１実施形態と同様である。
【０１０１】
本実施形態で用いるデータ補正回路３６Ｃは、図１７に示すように、第１カウンタ５１Ｃと、偶数列用カウンタ５４Ｃと、奇数列用カウンタ５５Ｃと、減算器５３Ｃとを備える。
【０１０２】
第１カウンタ５１Ｃは、偶数列における垂直走査開始側からの走査線の位置を表わすＹ座標と、奇数列におけるＹ座標とを計数する。この第１カウンタ５１Ｃは、図１８に示す
ように、垂直同期信号ＶＳＹＮＣでリセットされ、「０」から水平同期信号ＨＳＹＮＣのタイミングで「１」ずつカウントアップし、カウント値がＬＮＯ[7..0]＝８と等しくなると、ＨＳＹＮＣのタイミングでリセットされる。
【０１０３】
また、第１カウンタ５１Ｃは、ＬＮＯ[7..0]＝８により、カウント値がＬＮＯ[7..0]＝８と等しくなるごとに、ＨＳＹＮＣのタイミングで「Ｈ」レベルの偶数列用のｎフレーム目ＥＮＢａ信号を偶数列用カウンタ５４Ｃへ出力する（図１８参照）。
【０１０４】
また、第１カウンタ５１Ｃは、ＬＮＯ[7..0]＝８、Ｗ[7..0]＝６により、カウント値がＷ[7..0]＝６と等しくなると、ＨＳＹＮＣのタイミングで「Ｈ」レベルの奇数列用のｎフレーム目ＥＮＢｂ信号を奇数列用カウンタ５５Ｃへ出力する。その後は、カウント値がＬＮＯ[7..0]＝８と等しくなるごとに、同じタイミングでｎフレーム目ＥＮＢｂ信号を奇数列用カウンタ５５Ｃへ出力する（図１８参照）。
【０１０５】
また、第１カウンタ５１Ｃは、ＬＮＯ[7..0]＝８、ＤＦａ[7..0]＝４により、カウント値がＤＦａ[7..0]＝４と等しくなると、ＨＳＹＮＣのタイミングで「Ｈ」レベルの偶数列用の（ｎ＋１）フレーム目ＥＮＢａ信号を偶数列用カウンタ５４Ｃへ出力する。その後は、カウント値がＬＮＯ[7..0]＝８と等しくなるごとに、同じタイミングで「Ｈ」レベルの（ｎ＋１）フレーム目ＥＮＢａ信号を出力する（図１８参照）。
【０１０６】
さらに、第１カウンタ５１Ｃは、ＬＮＯ[7..0]＝８、ＤＦｂ[7..0]＝２により、カウント値がＤＦｂ[7..0]＝２と等しくなると、ＨＳＹＮＣのタイミングで「Ｈ」レベルの奇数列用の（ｎ＋１）フレーム目ＥＮＢｂ信号を奇数列用カウンタ５５Ｃへ出力する。その後は、カウント値がＬＮＯ[7..0]＝８と等しくなるごとに、ＨＳＹＮＣのタイミングで「Ｈ」レベルの（ｎ＋１）フレーム目ＥＮＢｂ信号を出力する（図１８参照）。
【０１０７】
ここで、ＬＮＯ[7..0]は、走査線の何行ごとに表示データの補正量（減算量）を「１」ずつ増やすかを設定するための駆動パラメータである。ＬＮＯ[7..0]＝８は、走査線の９行ごとに表示データの補正量を「１」ずつ増やすことを意味する。また、ＬＮＯ[7..0]＝８は、ｎフレーム目の偶数列において、走査線の９行ごとに表示データの補正量を「１」ずつ増やすことを意味する。
【０１０８】
Ｗ[7..0]は、ｎフレーム目の奇数列において、補正量を「１」ずつ増やす位置を設定するためのパラメータである。ＬＮＯ[7..0]＝８、Ｗ[7..0]＝６は、ｎフレーム目の奇数列において最初の７行目までは表示データの補正量を「０」にし、その後はそこから９行ごとに表示データの補正量を「１」ずつ増やすことを意味する。
【０１０９】
ＤＦａ[7..0]は、（ｎ＋１）フレーム目の偶数列において、補正量を「１」ずつ増やす位置を設定するためのパラメータである。ＬＮＯ[7..0]＝８、ＤＦａ[7..0]＝４は、（ｎ＋１）フレーム目の偶数列において、最初の５行目までは表示データの補正量を「０」にし、その後はそこから９行ごとに表示データの補正量を「１」ずつ増やすことを意味する。
【０１１０】
また、ＤＦｂ[7..0]は、（ｎ＋１）フレーム目の奇数列において、補正量を「１」ずつ増やす位置を設定するためのパラメータである。ＬＮＯ[7..0]＝８、ＤＦｂ[7..0]＝２は、（ｎ＋１）フレーム目の奇数列において、最初の３行目までは表示データの補正量を「０」にし、その後はそこから９行ごとに表示データの補正量を「１」ずつ増やすことを意味する。
【０１１１】
偶数列用カウンタ５４Ｃは、ＶＳＹＮＣでリセットされ、「Ｈ」レベルのＥＮＢａ信号
が入力されるごとに、ＨＳＹＮＣのタイミングで「１」ずつカウントアップし、カウント値を補正データＣＤａ[7..0]（偶数列用のｎフレーム目ＣＤａ[]或いは偶数列用の（ｎ＋１）フレーム目ＣＤａ[]）として減算器５３Ｃへ出力する。奇数列用カウンタ５５Ｃは、「Ｈ」レベルのＥＮＢｂ信号が入力されるごとに、ＨＳＹＮＣのタイミングで「１」ずつカウントアップし、カウント値を補正データＣＤｂ[7..0]（奇数列用のｎフレーム目ＣＤｂ[]或いは奇数列用の（ｎ＋１）フレーム目ＣＤｂ[]）として減算器５３Ｃへ出力する。
【０１１２】
減算器５３Ｃは、偶数列用カウンタ５４Ｃから上記補正データＣＤａ[7..0]が出力される場合には、元の表示データＤＡＴＡ[7..0]（偶数列のデータ）からＣＤａ[7..0]を引く。その結果を、補正後の表示データＤＡＴＡＮ[7..0]（ｎフレーム目偶数列ＤＡＴＡＮ[]或いは（ｎ＋１）フレーム目偶数列ＤＡＴＡＮ[]）として信号線駆動回路３４へ出力する。また、減算器５３Ｃは、奇数列用カウンタ５５Ｃから上記補正データＣＤｂ[7..0]が出力される場合には、元の表示データＤＡＴＡ[7..0]（奇数列のデータ）からＣＤｂ[7..0]を引く。その結果を、補正後の表示データＤＡＴＡＮ[7..0]（ｎフレーム目奇数列ＤＡＴＡＮ[]或いは（ｎ＋１）フレーム目奇数列ＤＡＴＡＮ[]）として信号線駆動回路３４へ出力する。また、減算器５３Ｃは、補正後の表示データＤＡＴＡＮ[]が負になった場合は、出力を「０」にするようになっている。
【０１１３】
次に、第４実施形態の液晶表示装置の動作を説明する。
ここでの駆動条件は、ＬＮＯ[]＝８、表示データＤＡＴＡ[]＝１２７、Ｗ[]＝６、ＤＦａ[]＝４、及びＤＦｂ[]＝２とする。
【０１１４】
第１カウンタ５１Ｃは、ｎフレーム目の偶数列において、カウント値がＬＮＯ[7..0]＝８と等しくなるごとにｎフレーム目ＥＮＢａ信号を偶数列用カウンタ５４Ｃへ出力する。また、ｎフレーム目の奇数列において、カウント値がＷ[7..0]＝６と等しくなるとｎフレーム目ＥＮＢｂ信号を、その後はカウント値がＬＮＯ[7..0]＝８と等しくなるごとにｎフレーム目ＥＮＢｂ信号を、それぞれ奇数列用カウンタ５５Ｃへ出力する（図１８参照）。
【０１１５】
また、第１カウンタ５１Ｃは、（ｎ＋１）フレーム目の偶数列において、カウント値がＤＦａ[7..0]＝４と等しくなると（ｎ＋１）フレーム目ＥＮＢａ信号を、その後はカウント値がＬＮＯ[7..0]＝８と等しくなるごとに（ｎ＋１）フレーム目ＥＮＢａ信号を、それぞれ偶数列用カウンタ５４Ｃへ出力する（図１８参照）。さらに、第１カウンタ５１Ｃは、（ｎ＋１）フレーム目の奇数列において、カウント値がＤＦｂ[7..0]＝２と等しくなると（ｎ＋１）フレーム目ＥＮＢｂ信号を、その後はカウント値がＬＮＯ[7..0]＝８と等しくなるごとに（ｎ＋１）フレーム目ＥＮＢｂ信号を、それぞれ奇数列用カウンタ５５Ｃへ出力する（図１８参照）。
【０１１６】
偶数列用カウンタ５４Ｃは、「Ｈ」レベルのＥＮＢａ信号が入力されるごとに「１」ずつカウントアップし、カウント値を偶数列用のｎフレーム目ＣＤａ[]或いは偶数列用の（ｎ＋１）フレーム目ＣＤａ[]として減算器５３Ｃへ出力する。奇数列用カウンタ５５Ｃは、「Ｈ」レベルのＥＮＢｂ信号が入力されるごとに、「１」ずつカウントアップし、カウント値を奇数列用のｎフレーム目ＣＤｂ[]或いは奇数列用の（ｎ＋１）フレーム目ＣＤｂ[]として減算器５３Ｃへ出力する。
【０１１７】
減算器５３Ｃは、偶数列用カウンタ５４ＣからＣＤａ[7..0]が出力される場合には、元の表示データＤＡＴＡ[7..0]（偶数列のデータ）からＣＤａ[]を引く。その結果を、補正後の表示データＤＡＴＡＮ[7..0]（ｎフレーム目偶数列ＤＡＴＡＮ[]或いは（ｎ＋１）フレーム目偶数列ＤＡＴＡＮ[]）として信号線駆動回路３４へ出力する。また、減算器５３Ｃは、奇数列用カウンタ５５ＣからＣＤｂ[7..0]が出力される場合には、元の表示データＤＡＴＡ[7..0]（奇数列のデータ）からＣＤｂ[]を引く。その結果を、補正後の表示デー
タＤＡＴＡＮ[7..0]（ｎフレーム目奇数列ＤＡＴＡＮ[]或いは（ｎ＋１）フレーム目奇数列ＤＡＴＡＮ[]）として信号線駆動回路３４へ出力する。
【０１１８】
このようにして、ｎフレーム目の偶数列については、９行分のデータの書き込みが終了するごとに、元の表示データを「１」ずつ減算して補正した補正後の表示データＤＡＴＡＮ[]が減算器５３Ｃから出力される。また、ｎフレーム目の奇数列については、最初の７行分のデータの書き込みが終了した後に、その後はそこから９行分のデータの書き込みが終了するごとに、それぞれ元の表示データを「１」ずつ減算して補正した補正後の表示データＤＡＴＡＮ[]が減算器５３Ｃから出力される。その表示データＤＡＴＡＮ[]に応じた上記データ信号（電圧信号）が各画素２５に書き込まれる（図１９参照）。
【０１１９】
また、（ｎ＋１）フレーム目の偶数列については、最初の５行分のデータの書き込みが終了した後に、その後はそこから９行分のデータの書き込みが終了するごとに、それぞれ元の表示データを「１」ずつ減算して補正した補正後の表示データＤＡＴＡＮ[]が減算器５３Ｃから出力される。（ｎ＋１）フレーム目の奇数列については、最初の３行分のデータの書き込みが終了した後に、その後はそこから９行分のデータの書き込みが終了するごとに、それぞれ元の表示データを「１」ずつ減算して補正した補正後の表示データＤＡＴＡＮ[]が減算器５３Ｃから出力される（図２０参照）。これらの表示データＤＡＴＡＮ[]に応じた上記データ信号が各画素２５に書き込まれる。
【０１２０】
このような駆動方法により、図１９に示すように、ｎフレーム目の偶数列では９行分のデータの書き込みが終了するごとに、元の表示データＤＡＴＡ[]を「１」ずつ小さくする。また、ｎフレーム目の奇数列では、最初の７行分のデータの書き込みが終了した後に、その後はそこから９行分のデータの書き込みが終了するごとに、それぞれ元の表示データＤＡＴＡ[]を「１」ずつ小さくする。こうして元の表示データを補正した補正後の表示データＤＡＴＡＮ[]に基づき各画素２５へのデータ信号の書き込みを行う。
【０１２１】
また、図２０に示すように、（ｎ＋１）フレーム目の偶数列では、最初の５行分のデータの書き込みが終了した後に、その後はそこから９行分のデータの書き込みが終了するごとに、それぞれ元の表示データＤＡＴＡ[]を「１」ずつ小さくする。また、（ｎ＋１）フレーム目の奇数列では、最初の３行分のデータの書き込みが終了した後に、その後はそこから９行分のデータの書き込みが終了するごとに、それぞれ元の表示データＤＡＴＡ[]を「１」ずつ小さくする。こうして元の表示データを補正した補正後の表示データＤＡＴＡＮ[]に基づき各画素２５へのデータ信号の書き込みを行う。
【０１２２】
以上のように構成された第４実施形態によれば、上記第１実施形態の奏する作用効果に加えて、以下の作用効果を奏する。
○偶数列と奇数列で補正量の変わる位置を変更するとともに、補正量の変わる位置をフレームごとに変更している（ずらしている）ので、表示データの補正によって生じる横方向の筋をさらに見えにくくすることができる。
【０１２３】
[第５実施形態]
第５実施形態に係る液晶表示装置を図２１〜図２３に基づいて説明する。
本実施形態では、図１３で説明した上記第３実施形態において、フレームごとに補正量の変わる位置を変更することで補正後の表示データが異なる領域において、「（偶数行、偶数列）または（奇数行、奇数列）」と「（偶数行、奇数列）または（奇数行、偶数列）」とで、各フレームにおいて表示データの補正量の変わる位置が逆になるように構成されている。その他の構成は上記第３実施形態と同様である。
【０１２４】
本実施形態で用いるデータ補正回路３６Ｄは、図２１に示すように、第１カウンタ５１
Ｄと、「（偶数行、偶数列）及び（奇数行、奇数列）」用カウンタ５４Ｄと、「（偶数行、奇数列）または（奇数行、偶数列）」用カウンタ５５Ｄと、減算器５３Ｄとを備える。
【０１２５】
第１カウンタ５１Ｄは、図１３の第１カウンタ５１Ｂと同様に垂直走査開始側からの走査線の位置を表わすＹ座標を計数する。この第１カウンタ５１Ｄは、垂直同期信号ＶＳＹＮＣでリセットされ、「０」から水平同期信号ＨＳＹＮＣのタイミングで「１」ずつカウントアップし、カウント値がＬＮＯ[7..0]＝８と等しくなると、ＨＳＹＮＣのタイミングでリセットされる。また、第１カウンタ５１Ｄは、ｎフレーム目において、カウント値がＬＮＯ[7..0]＝８と等しくなるごとに、ＨＳＹＮＣのタイミングで１ＤＣＫ分「Ｈ」レベルのＥＮＢａ信号を出力する。また、（ｎ＋１）フレーム目において、カウント値がＤＦ[7..0]＝４と等しくなったときと、その後カウント値がＬＮＯ[7..0]＝８と等しくなるごとに、ＨＳＹＮＣのタイミングで１ＤＣＫ分「Ｈ」レベルのＥＮＢａ信号を出力する。ここで、ＤＦ[7..0]は、ＥＮＢａ信号の出力タイミングを設定する駆動パラメータである。
【０１２６】
カウンタ５４Ｄは、垂直同期信号ＶＳＹＮＣでリセットされ、「Ｈ」レベルのＥＮＢ信号が入力されるごとに、水平同期信号ＨＳＹＮＣのタイミングで「１」ずつカウントアップし、カウント値を補正データＣＤａ[]として減算器５３Ｄへ出力する。
【０１２７】
カウンタ５５Ｄは、ＶＳＹＮＣでリセットされ、「Ｈ」レベルのＥＮＢ信号が入力されるごとに、ＨＳＹＮＣのタイミングで「１」ずつカウントアップし、カウント値を補正データＣＤｂ[]として減算器５３Ｄへ出力する。
【０１２８】
減算器５３Ｄは、「（偶数行、偶数列）及び（奇数行、奇数列）」の場合は、元の表示データＤＡＴＡ[]から補正データＣＤａ[]を引いて、その結果を補正後の表示データＤＡＴＡＮ[]として出力する。また、「（偶数行、奇数列）または（奇数行、偶数列）」の場合は、元の表示データＤＡＴＡ[]から補正データＣＤｂ[]を引いてその結果を補正後の表示データＤＡＴＡＮ[]として信号線駆動回路３４へ出力する。また、減算器５３Ｄは、補正後の表示データＤＡＴＡＮ[]が負になった場合は、出力を「０」にするようになっている。
【０１２９】
次に、第５実施形態の液晶表示装置の動作を説明する。
ここでの駆動条件は、ＬＮＯ[]＝８、表示データＤＡＴＡ[]＝１２７、及びＤＦ[]＝４とする。
【０１３０】
図１４に示す上記第４実施形態のタイミングチャートにおいて、ｎフレーム目ＥＮＢを、ｎフレーム目ＥＮＢａ及び（ｎ＋１）フレーム目ＥＮＢｂに、（ｎ＋１）フレーム目ＥＮＢを、ｎフレーム目ＥＮＢｂ及び（ｎ＋１）フレーム目ＥＮＢａにそれぞれ置き換える。
【０１３１】
同タイミングチャートにおいて、ｎフレーム目ＣＤ[]を、ｎフレーム目ＣＤａ[]及び（ｎ＋１）フレーム目ＣＤｂ[]に、（ｎ＋１）フレーム目ＣＤ[]を、ｎフレーム目ＣＤｂ[]及び（ｎ＋１）フレーム目ＣＤａ[]にそれぞれ置き換える。
【０１３２】
同タイミングチャートにおいて、ｎフレーム目ＤＡＴＡＮ[]を、ｎフレーム目「（偶数行、偶数列）及び（奇数行、奇数列）」のＤＡＴＡＮ[]及び（ｎ＋１）フレーム目「（偶数行、奇数列）及び（奇数行、偶数列）」のＤＡＴＡＮ[]にそれぞれ置き換える。
【０１３３】
同タイミングチャートにおいて、（ｎ＋１）フレーム目ＤＡＴＡＮ[]を、ｎフレーム目「（偶数行、奇数列）及び（奇数行、偶数列）」のＤＡＴＡＮ[]及び（ｎ＋１）フレーム目「（偶数行、偶数列）及び（奇数行、奇数列）」のＤＡＴＡＮ[]にそれぞれ置き換える
。
【０１３４】
以上のように構成された第５実施形態によれば、上記第３実施形態の奏する作用効果に加えて、以下の作用効果を奏する。
○図２２，図２３に示すように、フレームごとに補正量の変わる位置を変更することで補正後の表示データが異なる領域において、「（偶数行、偶数列）または（奇数行、奇数列）」と「（偶数行、奇数列）または（奇数行、偶数列）」とで、各フレームにおいて上記表示データの補正量の変わる位置が逆になる。ここで、フレームごとに補正量の変わる位置を変更することで補正後の表示データが異なる領域は、図１５及び図１６に示す領域７１〜７４である。このため、表示データの補正によって生じるフリッカを見えにくくすることができる。
【０１３５】
○図２２に示す走査線Ｙ６〜Ｙ９に対応する画素領域と走査線Ｙ１５〜Ｙ１８に対応する画素領域において、「（偶数行、偶数列）または（奇数行、奇数列）」の各画素と「（偶数行、奇数列）または（奇数行、偶数列）」の各画素とで、各フレームにおいて補正後の表示データが「１」ずつ異なっている。ここで、図２２に示す走査線Ｙ６〜Ｙ９に対応する画素領域は図１５の領域７１に、走査線Ｙ１５〜Ｙ１８に対応する画素領域は図１５の領域７３にそれぞれ相当する。また、図２３に示す走査線Ｙ６〜Ｙ９に対応する画素領域（図１６の領域７２に相当する）と走査線Ｙ１５〜Ｙ１８に対応する画素領域（同図の領域７４に相当する）においても、図２２に示す走査線Ｙ６〜Ｙ９に対応する画素領域と走査線Ｙ１５〜Ｙ１８に対応する画素領域と同様になっている。
【０１３６】
例えば、図２２において、全画面で表示データを同じ輝度「１２７」とした場合、（偶数行、偶数列）の１画素（Ｙ６，Ｘ２）の補正後の示データは「１２７」であり、（偶数行、奇数列）の１画素（Ｙ６，Ｘ１）の補正後の表示データは「１２６」である。また、（奇数行、奇数列）の１画素（Ｙ７，Ｘ１）の補正後の表示データは「１２７」であり、（奇数行、偶数列）の１画素（Ｙ７，Ｘ２）の補正後の表示データは「１２６」である。その結果、図２２及び図２３に示す走査線Ｙ６〜Ｙ９に対応する画素領域及び走査線Ｙ１５〜Ｙ１８に対応する画素領域の互いに隣接する各画素では、輝度「１」だけ明るさの異なる表示となる。このため、表示データの補正によって生じるフリッカを見えにくくすることができる。
【０１３７】
[第６実施形態]
第６実施形態に係る液晶表示装置を図２４〜図２６に基づいて説明する。
本実施形態では、図１７で説明した上記第４実施形態において、フレームごとに補正量の変わる位置を変更することで補正後の表示データが異なる領域において、「（偶数行、偶数列）または（奇数行、奇数列）」と「（偶数行、奇数列）または（奇数行、偶数列）」とで、各フレームにおいて上記表示データの補正量の変わる位置が逆になるように構成されている。その他の構成は上記第４実施形態と同様である。
【０１３８】
本実施形態で用いるデータ補正回路３６Ｄを示す図２４において、ＤＦａ[7..0]〜ＤＦｄ[7..0]は、第１カウンタ５１ＥのＥＮＢａ〜ＥＮＢｄ信号の出力タイミングを設定する駆動パラメータである。
【０１３９】
図２４に示すように、データ補正回路３６Ｅは、第１カウンタ５１Ｅと、４つのカウンタ５４Ｅ，５５Ｅ，５６Ｅ及び５７Ｅと、減算器５３Ｅとを備える。第１カウンタ５４Ｅは（偶数行、偶数列）用カウンタ、カウンタ５５Ｅは（偶数行、奇数列）用カウンタ、カウンタ５５Ｅは（奇数行、偶数列）用カウンタ、そして、カウンタ５６Ｅは（奇数行、奇数列）用カウンタである。
【０１４０】
これらのカウンタ５４Ｅ，５５Ｅ，５６Ｅ及び５７Ｅはそれぞれ、垂直同期信号ＶＳＹＮＣでリセットされ、「Ｈ」レベルのＥＮＢ信号が入力されるごとに、水平同期信号ＨＳＹＮＣのタイミングで「１」ずつカウントアップし、カウント値を補正データＣＤａ[]，ＣＤｂ[]，ＣＤａｃ]及びＣＤｄ[]として減算器５３Ｅへ出力する。
【０１４１】
減算器５３Ｅは、（偶数行、偶数列）の場合は、元の表示データＤＡＴＡ[]から補正データＣＤａ[]を引いてその結果を補正後の表示データＤＡＴＡＮ[]として出力する。また、（偶数行、奇数列）の場合は、元の表示データＤＡＴＡ[]から補正データＣＤｂ[]を引いてその結果を補正後の表示データＤＡＴＡＮ[]として出力する。また、（奇数行、偶数列）の場合は、元の表示データＤＡＴＡ[]から補正データＣＤｃ[]を引いてその結果を補正後の表示データＤＡＴＡＮ[]として出力する。そして、（奇数行、奇数列）の場合は、元の表示データＤＡＴＡ[]から補正データＣＤｄ[]を引いてその結果を補正後の表示データＤＡＴＡＮ[]として出力する。また、減算器５３Ｅは、補正後の表示データＤＡＴＡＮ[]が負になった場合は、出力を「０」にするようになっている。
【０１４２】
次に、第６実施形態の液晶表示装置の動作を説明する。
ここでの駆動条件は、ＬＮＯ[]＝８、表示データＤＡＴＡ[]＝１２７、Ｗ[]＝６、ＤＦａ[]＝４、及びＤＦｂ[]＝２とする。
【０１４３】
本実施形態のＥＮＢａは図１８に示す上記第４実施形態のタイミングチャートのＥＮＢａと同様である。
ＥＮＢｄは同タイミングチャートのＥＮＢｂと同様である。
【０１４４】
ＥＮＢｂは、同タイミングチャートのＥＮＢａのｎフレーム目と（ｎ＋１）フレーム目を入れ替えた信号と同様である。
ＥＮＢｃは同タイミングチャートのＥＮＢｂのｎフレーム目と（ｎ＋１）フレーム目を入れ替えた信号と同様である。
【０１４５】
本実施形態のＣＤａ[]〜ＣＤｄ[]も、ＥＮＢａ〜ＥＮＢｄと同様である。
本実施形態の表示データＤＡＴＡ[]は、図１８のタイミングチャートのｎフレーム目偶数列ＤＡＴＡＮ[]を、ｎフレーム目の（偶数行、偶数列）のＤＡＴＡＮ[]及び（ｎ＋１）フレーム目の（奇数行、偶数列）のＤＡＴＡＮ[]にそれぞれ置き換える。
【０１４６】
本実施形態の表示データＤＡＴＡ[]は、同タイミングチャートの（ｎ＋１）フレーム目偶数列ＤＡＴＡＮ[]を、（ｎ＋１）フレーム目の（偶数行、偶数列）のＤＡＴＡＮ[]及びｎフレーム目の（奇数行、偶数列）のＤＡＴＡＮ[]にそれぞれ置き換える。
【０１４７】
本実施形態の表示データＤＡＴＡ[]は、同タイミングチャートのｎフレーム目奇数列ＤＡＴＡＮ[]を、ｎフレーム目の（奇数行、奇数列）のＤＡＴＡＮ[]及び（ｎ＋１）フレーム目の（偶数行、奇数列）のＤＡＴＡＮ[]にそれぞれ置き換える。
【０１４８】
本実施形態の表示データＤＡＴＡ[]は、同タイミングチャートの（ｎ＋１）フレーム目奇数列ＤＡＴＡＮ[]を、（ｎ＋１）フレーム目の（奇数行、奇数列）のＤＡＴＡＮ[]及びｎフレーム目の（偶数行、奇数列）のＤＡＴＡＮ[]にそれぞれ置き換える。
【０１４９】
以上のように構成された第６実施形態によれば、上記第４実施形態の奏する作用効果に加えて、以下の作用効果を奏する。
○図２５，図２６に示すように、フレームごとに補正量の変わる位置を変更することで補正後の表示データが異なる領域において、「（偶数行、偶数列）または（奇数行、奇数列）」と「（偶数行、奇数列）または（奇数行、偶数列）」とで、各フレームにおいて上
記表示データの補正量の変わる位置が逆になる。ここで、フレームごとに補正量の変わる位置を変更することで補正後の表示データが異なる領域は、図１９及び図２０に示す領域８１〜８４である。このため、表示データの補正によって生じるフリッカを見えにくくすることができる。
【０１５０】
○図２５に示す走査線Ｙ４〜Ｙ９に対応する画素領域と走査線Ｙ１３〜Ｙ１８に対応する画素領域において、「（偶数行、偶数列）または（奇数行、奇数列）」の各画素と「（偶数行、奇数列）または（奇数行、偶数列）」の各画素とで、各フレームにおいて補正後の表示データが「１」ずつ異なっている。ここで、図２５に示す走査線Ｙ４〜Ｙ９に対応する画素領域は図１９の領域８１に、走査線Ｙ１３〜Ｙ１８に対応する画素領域は図２０の領域８３にそれぞれ相当する。また、図２６に示す走査線Ｙ４〜Ｙ９に対応する画素領域と走査線Ｙ１３〜Ｙ１８に対応する画素領域においても、図２５に示す走査線Ｙ４〜Ｙ９に対応する画素領域と走査線Ｙ１３〜Ｙ１８に対応する画素領域と同様になっている。ここで、図２６に示す走査線Ｙ４〜Ｙ９に対応する画素領域は図２０の領域８２に、走査線Ｙ１３〜Ｙ１８に対応する画素領域は図２０の領域８４にそれぞれ相当する。
【０１５１】
例えば、図２５において、全画面で表示データを同じ輝度「１２７」とした場合、（偶数行、偶数列）の１画素（Ｙ６，Ｘ２）の補正後の示データは「１２６」であり、（偶数行、奇数列）の１画素（Ｙ６，Ｘ１）の補正後の表示データは「１２７」である。また、（奇数行、奇数列）の１画素（Ｙ７，Ｘ１）の補正後の表示データは「１２６」であり、（奇数行、偶数列）の１画素（Ｙ７，Ｘ２）の補正後の表示データは「１２７」である。その結果、図２５及び図２６に示す走査線Ｙ４〜Ｙ９に対応する画素領域及び走査線Ｙ１３〜Ｙ１８に対応する画素領域の互いに隣接する各画素では、輝度「１」だけ明るさの異なる表示となる。このため、表示データの補正によって生じるフリッカを見えにくくすることができる。
【０１５２】
［電子機器］
次に、上記各実施形態で説明した液晶表示装置の液晶表示パネル２１を用いた電子機器について説明する。図１及び図２に示す液晶表示パネル２１は、図２７に示すような液晶プロジェクタなどの投射型表示装置１１０に適用できる。この投射型表示装置１１０は、Ｒ（赤）、Ｇ（緑）、Ｂ（青）の異なる色毎に透過型液晶ライトバルブ１１２，１１３，１１４を備えた３板式の投射型カラー表示装置である。これらの透過型液晶ライトバルブ１１２，１１３，１１４が、上記各実施形態で説明した液晶表示パネル２１でそれぞれ構成されている。
【０１５３】
図２７に示すように、投射型表示装置１１０は、プロジェクタ本体１１１と、照明装置１２０と、色分離合成系１３０と、複数の投射レンズを有する投射装置としての投射光学系１４０とを備えている。プロジェクタ本体１１１内に、照明装置１２０及び色分離合成系１３０や、電源装置１５０等が内蔵されている。
【０１５４】
照明装置１２０は、光源１１５と、２つのフライアイレンズ１１６，１１７と、偏光変換装置１１８とを有する。色分離合成系１３０は、２つのダイクロイックミラー１２１，１２２と、３つの反射ミラー１２３〜１２５と、３つのリレーレンズ１２６〜１２８と、３つの液晶ライトバルブ１１２〜１１４と、クロスダイクロイックプリズム１２９とを有する。
【０１５５】
光源１１５は、高圧水銀ランプ或いはメタルハライドランプ等のランプ１２０ａと、ランプ１２０ａからの光Ｌ（以下、「光源光Ｌ」という。）を反射するリフレクタ１２０ｂとを有する。また、光源光Ｌの照度分布を液晶ライトバルブ１１２〜１１４において均一化させるために、２つのフライアイレンズ１１６，１１７が設けられている。各フライア
イレンズ１１６，１１７は、二次元に配置された複数個（例えば、６×８個）のレンズ１１６ａ，１１７ａでそれぞれ構成されている。こうして、液晶ライトバルブ１１２〜１１４は、光源光Ｌでフライアイレンズ１１６，１１７によって均一な照度で照明されるようになっている。
【０１５６】
偏光変換装置１１８は、フライアイレンズ１１７側に設けられた偏光ビームスプリッタアレイ（ＰＢＳアレイ）と、ＰＢＳアレイによって反射された偏光の偏光方向を変換する１／２波長板とを有し、光源光Ｌの光強度を損なうことなく光の偏光方向を一方向に揃えるようになっている。
【０１５７】
ダイクロイックミラー１２１，１２２は、例えばガラス基板に所定の波長選択性を持つ誘電体多層膜を積層したものである。ダイクロイックミラー１２１は、光源光Ｌのうちの赤色光ＬＲを透過させるとともに、緑色光ＬＧと青色光ＬＢを反射させるようになっている。また、ダイクロイックミラー１２２は、ダイクロイックミラー１２１で反射された緑色光ＬＧと青色光ＬＢのうち、緑色光ＬＧを反射させるとともに、青色光ＬＢを透過させるようになっている。
【０１５８】
これにより、色分離合成系１３０では、照明装置１２０から入射する光源光Ｌのうち、赤色光ＬＲは、ダイクロイックミラー１２１を透過した後、反射ミラー１２３で反射されて赤色光用の液晶ライトバルブ１１２に入射される。緑色光ＬＧは、ダイクロイックミラー１２１で反射された後、ダイクロイックミラー１２２で反射されて緑色光用の液晶ライトバルブ１１２に入射される。青色光ＬＢは、ダイクロイックミラー１２１で反射された後、ダイクロイックミラー１２２を透過し、３つのリレーレンズ１２６〜１２８と２つの反射ミラー１２４、１２５からなるリレー系を経て、青色光用の液晶ライトバルブ１１４に入射される。
【０１５９】
光変調装置としての液晶ライトバルブ１１２〜１１４は、ビデオ信号などの上記表示データに基づいて図示を省略した駆動回路によりそれぞれ駆動されるようになっている。
クロスダイクロイックプリズム１２９は、直角プリズムが貼り合わされた構造となっており、十字状に直交する２つのミラー面の一方には、赤色光ＬＲを反射させるとともに緑色光ＬＧを透過させる誘電体多層膜が、その他方には、青色光ＬＢを反射させるとともに緑色光ＬＧを透過させる誘電体多層膜がそれぞれ形成されている。そして、赤色光ＬＲ、緑色光ＬＧ及び青色光ＬＢの３つの色光が、クロスダイクロイックプリズム１２９によって合成されてカラー画像を表わす光が形成され、この光が投射光学系１４０によりスクリーン１４１上に拡大投射されるようになっている。
【０１６０】
この投射型表示装置１１０によれば、各液晶ライトバルブ１１２，１１３，１１４の上下方向における輝度ムラが抑制された表示を実現することができる。
[変形例]
なお、この発明は以下のように変更して具体化することもできる。
【０１６１】
・上記各実施形態では、一例として垂直走査開始側を第１行目の走査線Ｙ１側としているが、垂直走査開始側を第ｍ行目の走査線Ｙｍ側とする場合にも本発明は適用される。
・上記各実施形態では、図５に示す第１の条件（条件１ａ）の場合と、図６に示す第２の条件（条件１ｂ）により液晶を駆動する場合を一例として説明したが、本発明は、図２８に示す第３の条件（条件２ａ）の場合と、図２９に示す第４の条件（条件２ｂ）により液晶を駆動する場合にも同様に適用可能である。
【０１６２】
条件２ａは、表示データが大きいほど明るい表示にしかつ液晶にかかる電圧が大きいほど明るい表示にする場合である。条件２ｂは、表示データが小さいほど明るい表示にしか
つ液晶にかかる電圧が小さいほど明るい表示にする場合である。
【０１６３】
条件２ａの場合には、図２８に示すように、走査線Ｙ１〜Ｙｍのうちより遅く選択される走査線に接続された各画素ほど、例えば画面の上方側から垂直走査をする場合には下方に位置する画素ほど各画素電極で低下する電圧値が大きくなるので、より暗い表示となる。そこで、条件２ａで、画面の上方側から垂直走査をする場合には、図２８に示すように、下方に位置する画素ほど元の表示データをより大きくするように、下方に位置する画素ほど元の表示データに加算する表示データの補正量を大きくする。これにより、下方の画素ほど元の表示データに対応する輝度よりも明るくなるので、液晶表示パネル２１の上下方向における輝度ムラが抑制される。
【０１６４】
また、条件２ｂの場合には、図２９に示すように、より遅く選択される走査線に接続された各画素ほど、つまりより下方に位置する画素ほど各画素電極で低下する電圧値が大きくなるので、より明るい表示となる。そこで、条件２ｂの場合にも、画面の上方側から垂直走査をする場合には、図２９に示すように、下方に位置する画素ほど元の表示データをより大きくするように、下方に位置する画素ほど元の表示データに加算する表示データの補正量を大きくする。これにより、下方の画素ほど元の表示データに対応する輝度よりも暗くなるので、液晶表示パネル２１の上下方向における輝度ムラが抑制される。
【０１６５】
・上記各実施形態では、元の表示データＤＡＴＡ[7..0]は８ビット（ｂｉｔ）のデジタル階調データとしているが、本発明で使用可能な表示データＤＡＴＡ[]は８ビットに限定されない。
【０１６６】
・上記第１実施形態では、第１カウンタ５１は、カウント値がＬＮＯ[7..0]＝５と等しくなると、「Ｈ」レベルのＥＮＢ信号を第２カウンタ５２へ出力するように構成されているが、ＬＮＯ[7..0]との比較ではなく他の値をレジスタ等で設定しても良い。第１実施形態以外の各実施形態においても同様である。
【０１６７】
・上記各実施形態では、液晶を反転駆動するのに、共通電極電位ＬＣＣＯＭを１フレームごとに反転させるようにしているが、他の方法で液晶を反転駆動する場合にも本発明は適用可能である。
【０１６８】
・上記各実施形態では、一例として１フレームごとに共通電極３０の電位を反転させるようにしているが、１フレーム以外の所定期間ごとにその電位を反転させる場合にも本発明は適用可能である。
【０１６９】
・上記各実施形態では、ＴＮ（Twisted Nematic ）型の液晶２４を用いているが本発明はこれに限定されない。液晶としては、スイッチング素子を介して各画素に正極性のデータ信号と負極性のデータ信号を所定期間ごと、例えば１フレームごとに交互に書き込むフレーム反転が可能なものであればよい。例えば、液晶として１８０°以上のねじれ配向を有するＳＴＮ（Super Twisted Nematic ）型、ＢＴＮ（Bi-stable Twisted Nematic ）型、高分子分散型、ゲストホスト型等を含めて、周知なものを広く用いることができる。
【０１７０】
・上記各実施形態では、各画素のスイッチング素子として３端子スイッチング素子であるＴＦＴを用いているが、これに代えてＴＦＤ（Thin Film Diode）のような２端子スイ
ッチング素子を用いたアクティブマトリクス型液晶表示パネルにも本発明は適用可能である。なお、２端子スイッチング素子を用いる場合には、素子基板上にある各画素の画素電極と液晶を介して対向電極を対向基板側に設け、この対向電極を走査線ごと分割する。そして、素子基板上にあるデータ線と対向基板上にある対向電極（走査線）とが空間的に交差する個所に対応してＴＦＤのような２端子スイッチング素子を素子基板側に配置する。
【０１７１】
・液晶表示装置の液晶表示パネル２１は、図２７に示すような液晶プロジェクタなどの投射型表示装置１１０に限らず、パーソナルコンピュータ、携帯電話、デジタルカメラ等の各種の電子機器に適用できる。
【０１７２】
・上記各実施形態では、電気光学装置を液晶表示装置として説明したが、本発明はこれに限るものではなく、液晶のように交流駆動される電気光学素子を用いた電気光学装置および該電気光学装置を備えた電子機器に対しても適用可能である。
【図面の簡単な説明】
【０１７３】
【図１】第１実施形態に係る液晶表示装置の駆動回路の電気的構成を示す概略構成図。
【図２】液晶表示パネルの電気的等価回路の一部を示す回路図。
【図３】走査線駆動回路の動作を示すタイミングチャート。
【図４】信号線駆動回路の動作を示すタイミングチャート。
【図５】第１の条件での表示における輝度変化とデータの補正の関係を示す説明図。
【図６】第２の条件での表示における輝度変化とデータの補正の関係を示す説明図。
【図７】第１実施形態のデータ補正回路を示すブロック図。
【図８】同データ補正回路の動作を示すタイミングチャート。
【図９】第１実施形態による表示を示す説明図。
【図１０】第２実施形態のデータ補正回路を示すブロック図。
【図１１】同データ補正回路の動作を示すタイミングチャート。
【図１２】第２実施形態による表示を示す説明図。
【図１３】第３実施形態のデータ補正回路を示すブロック図。
【図１４】同データ補正回路の動作を示すタイミングチャート。
【図１５】第３実施形態によるｎフレーム目の表示を示す説明図。
【図１６】第３実施形態による（ｎ＋１）フレーム目の表示を示す説明図。
【図１７】第４実施形態のデータ補正回路を示すブロック図。
【図１８】同データ補正回路の動作を示すタイミングチャート。
【図１９】第４実施形態によるｎフレーム目の表示を示す説明図。
【図２０】第４実施形態による（ｎ＋１）フレーム目の表示を示す説明図。
【図２１】第５実施形態のデータ補正回路を示すブロック図。
【図２２】第５実施形態によるｎフレーム目の表示を示す説明図。
【図２３】第５実施形態による（ｎ＋１）フレーム目の表示を示す説明図。
【図２４】第６実施形態のデータ補正回路を示すブロック図。
【図２５】第６実施形態によるｎフレーム目の表示を示す説明図。
【図２６】第６実施形態による（ｎ＋１）フレーム目の表示を示す説明図。
【図２７】液晶表示パネルを用いた電子機器を示す平面図。
【図２８】第３の条件での表示における輝度変化とデータの補正の関係を示す説明図。
【図２９】第４の条件での表示における輝度変化とデータの補正の関係を示す説明図。
【符号の説明】
【０１７４】
Ｙ１〜Ｙｍ…走査線、Ｖｄｄ，Ｖｓｓ…電圧、Ｓ１〜Ｓｎ…データ選択信号、Ｘ１〜Ｘｎ…信号線、２４…液晶、２５…画素、３３…走査線駆動回路、３４…信号線駆動回路、３６，３６Ａ，３６Ｂ，３６Ｃ，３６Ｄ，３６Ｅ…データ補正回路。
【図１】
2005148386.tif 000003
【図２】
2005148386.tif 000004
【図３】
2005148386.tif 000005
【図４】
2005148386.tif 000006
【図５】
2005148386.tif 000007
【図６】
2005148386.tif 000008
【図７】
2005148386.tif 000009
【図８】
2005148386.tif 000010
【図９】
2005148386.tif 000011
【図１０】
2005148386.tif 000012
【図１１】
2005148386.tif 000013
【図１２】
2005148386.tif 000014
【図１３】
2005148386.tif 000015
【図１４】
2005148386.tif 000016
【図１５】
2005148386.tif 000017
【図１６】
2005148386.tif 000018
【図１７】
2005148386.tif 000019
【図１８】
2005148386.tif 000020
【図１９】
2005148386.tif 000021
【図２０】
2005148386.tif 000022
【図２１】
2005148386.tif 000023
【図２２】
2005148386.tif 000024
【図２３】
2005148386.tif 000025
【図２４】
2005148386.tif 000026
【図２５】
2005148386.tif 000027
【図２６】
2005148386.tif 000028
【図２７】
2005148386.tif 000029
【図２８】
2005148386.tif 000030
【図２９】
2005148386.tif 000031